(57)【要約】【課題】ブラケットを使わずにコスト増や重量増を抑えながら、高圧燃料ポンプの振動がシリンダヘッドカバーに伝わるのを極力防止し得るコンパクトな構成のエンジン及び車両を提供する。【解決手段】シリンダヘッドカバー５０と、シリンダヘッド本体４０と、シリンダヘッドカバーとシリンダヘッド本体で画成される空間に配置されたカムシャフト７０上のポンプ用カム７１の回転により駆動されるプランジャ型のポンプ３０と、を備え、前記ポンプの支持部３１Ａ、３１Ｂを、シリンダヘッドカバーの支持部５８、５７に重ねると共に、シリンダヘッドカバーの支持部５８、５７を貫通するボルト３３で、シリンダヘッド本体４０に支持した。【選択図】図３
2006291807.tif 000002
【特許請求の範囲】
【請求項１】
シリンダヘッドカバーと、
シリンダヘッド本体と、
前記シリンダヘッドカバーとシリンダヘッド本体で画成される空間に配置されたカムシャフト上のポンプ用カムの回転により駆動されるプランジャ型のポンプと、を備え、
前記ポンプの支持部を、
前記シリンダヘッドカバーの支持部に重ねると共に、
前記シリンダヘッドカバーの支持部を貫通するボルトで、前記シリンダヘッド本体に支持したことを特徴とするエンジン。
【請求項２】
請求項１に記載のエンジンであって、
少なくとも前記ポンプに第１の支持部と第２の支持部を形成すると共に、
そのポンプの第１の支持部を、前記シリンダヘッドカバーの周縁に形成した第１支持部と重ねて前記ボルトで支持し、
前記ポンプの第２の支持部を、前記シリンダヘッドカバーの周縁から離間した位置で、
前記シリンダヘッドカバーに形成した第２支持部と重ねて前記ボルトで支持したことを特徴とするエンジン。
【請求項３】
請求項２に記載のエンジンであって、
前記ポンプの第２の支持部を点火プラグの挿入孔に隣接させたことを特徴とするエンジン。
【請求項４】
請求項２に記載のエンジンであって、
潤滑油を保持する凹部を、前記ポンプの第２の支持部に隣接して形成したことを特徴とするエンジン。
【請求項５】
請求項２に記載のエンジンであって、
前記シリンダヘッドカバーとシリンダヘッド本体の周縁をシール部材を介して結合し、
前記シリンダヘッドカバーの第１支持部及び前記ポンプの第１の支持部を、
前記シール部材の外側に形成したことを特徴とするエンジン。
【請求項６】
請求項２〜５のいずれかに記載のエンジンを搭載した車両であって、
前記エンジンを、シリンダ軸線が傾斜するように配置すると共に、
前記ポンプの第１の支持部を前記ポンプの第２の支持部より上方に支持したことを特徴とする車両。
【発明の詳細な説明】
【技術分野】
【０００１】
本発明は、ポンプを取り付けたエンジン及び同エンジンを搭載した車両に関するものである。
【背景技術】
【０００２】
自動車においては、圧縮行程中の燃焼室内に燃料を直接噴射する筒内直接噴射式（直噴式という）エンジンを採用するものが増えてきている。この直噴式エンジンでは、燃焼室内の圧力に抗して燃料を噴射しなければならないため、燃料を非常に高い圧力（数ＭＰａ〜数１０ＭＰａ）に加圧する必要がある。そのため、直噴式エンジンの燃料供給装置には、従来の燃料ポンプ（低圧燃料ポンプ）のほかに、燃料の圧力を高める働きを持つ高圧燃料ポンプが設けられている。
【０００３】
また、現在使用されている自動車用のエンジンにおいては、カムシャフトがエンジンの燃焼室の上方に設けられたオーバーヘッドカムシャフト式（ＯＨＣ式）が主流となっており、エンジンの燃焼室の上方には、吸気弁と、排気弁と、カムシャフトなどを備えてなる動弁機構が配置されている。そして、それらを覆うためにシリンダヘッドカバーが設けられ、エンジンのシリンダヘッド上部を密閉している。
【０００４】
前記高圧燃料ポンプは、燃料噴射弁と近い位置に配置するのが好ましく、最近では、カムシャフトに設けられたポンプ用カムによって駆動する形式を採用する関係から、カムシャフトの直上にあるシリンダヘッドカバーに取り付けることが多い。
【０００５】
ところで、高圧燃料ポンプで発生する振動や作動音、加圧された燃料の脈動による燃料配管の振動等は、高圧燃料ポンプの取付部を介してシリンダヘッドカバーに伝達されることになる。そのため、伝達した振動は、シリンダヘッドカバーによって増幅されてエンジンの振動を大きくしたり、シリンダヘッドカバーの表面に伝達されてシリンダヘッドカバーの一般板厚部がスピーカーのような働き（膜振動）をして大きな放射音を発生させたりすることがあり、エンジンの静粛性を確保する上で大きな問題となっていた。
【０００６】
このような燃料ポンプの取付構造として、従来、例えばシリンダヘッドカバーのカムシャフトに臨む部分に取付孔を形成し、該取付孔に燃料ポンプのプランジャ部分を挿入すると共に、燃料ポンプの取付フランジをシリンダヘッドカバーにネジで固定するものがあるが、このような従来構造では、燃料ポンプの取付強度を高めるために、シリンダヘッドカバーのポンプ取付部分の肉厚を大きくしたり、裏面にリブを設けたりしなくてはならず、シリンダヘッドカバーの重量が増大する上、シリンダヘッドカバーに燃料ポンプを取り付けている関係上、依然として、シリンダヘッドカバーに燃料ポンプの振動が伝達しやすいという問題があった。
【０００７】
そこで、それを解決するために、シリンダヘッド本体にブラケット（取付部材）を取り付け、そのブラケットを前記取付孔を介してシリンダヘッドカバーの外部に露出させ、その露出させたブラケットに燃料ポンプを固定し、同時にブラケットとシリンダヘッドカバーの間に設けたシール部材で、シリンダヘッドカバー及びシリンダヘッド本体で形成される空間と外部とを遮断する構造が提案されている（例えば、特許文献１、２参照）。
【０００８】
【特許文献１】特開２００１−２７１７０３号公報
【特許文献２】特許第３５６７７９１号公報
【発明の開示】
【発明が解決しようとする課題】
【０００９】
しかしながら、特許文献１または２に記載の従来構造のように、燃料ポンプをブラケットを介してシリンダヘッド本体に取り付けるようにした場合、ブラケットが別に必要となるので、コスト的、重量的に不利である。
【００１０】
本発明は、上記事情を考慮し、ブラケットを使わずにコスト増や重量増を抑えながら、高圧燃料ポンプの振動がシリンダヘッドカバーに伝わるのを極力防止し得るコンパクトな構成のエンジン及び車両を提供することを目的とする。
【課題を解決するための手段】
【００１１】
請求項１の発明のエンジンは、シリンダヘッドカバーと、シリンダヘッド本体と、前記シリンダヘッドカバーとシリンダヘッド本体で画成される空間に配置されたカムシャフト上のポンプ用カムの回転により駆動されるプランジャ型のポンプと、を備え、前記ポンプの支持部を、前記シリンダヘッドカバーの支持部に重ねると共に、前記シリンダヘッドカバーの支持部を貫通するボルトで、前記シリンダヘッド本体に支持したことを特徴とする。
【００１２】
請求項２の発明は、請求項１に記載のエンジンであって、少なくとも前記ポンプに第１の支持部と第２の支持部を形成すると共に、そのポンプの第１の支持部を、前記シリンダヘッドカバーの周縁に形成した第１支持部と重ねて前記ボルトで支持し、前記ポンプの第２の支持部を、前記シリンダヘッドカバーの周縁から離間した位置で、前記シリンダヘッドカバーに形成した第２支持部と重ねて前記ボルトで支持したことを特徴とする。
【００１３】
請求項３の発明は、請求項２に記載のエンジンであって、前記ポンプの第２の支持部を点火プラグの挿入孔に隣接させたことを特徴とする。
【００１４】
請求項４の発明は、請求項２に記載のエンジンであって、潤滑油を保持する凹部を、前記ポンプの第２の支持部に隣接して形成したことを特徴とする。
【００１５】
請求項５の発明は、請求項２に記載のエンジンであって、前記シリンダヘッドカバーとシリンダヘッド本体の周縁をシール部材を介して結合し、前記シリンダヘッドカバーの第１支持部及び前記ポンプの第１の支持部を、前記シール部材の外側に形成したことを特徴とする。
【００１６】
請求項６の発明の車両は、請求項２〜５のいずれかに記載のエンジンを搭載した車両であって、前記エンジンを、シリンダ軸線が傾斜するように配置すると共に、前記ポンプの第１の支持部を前記ポンプの第２の支持部より上方に支持したことを特徴とする。
【発明の効果】
【００１７】
請求項１の発明によれば、ポンプをシリンダヘッドカバーと共にシリンダヘッド本体にボルトで共締めしたので、シリンダヘッドカバーの板面部分にポンプを固定するのと違い、シリンダヘッドカバーのボス部を介するものの、ポンプを、剛性の高いシリンダヘッド本体にほぼ直接固定することができる。従って、ポンプの振動によるシリンダヘッドカバーの共振を極力抑えることができ、騒音低減効果を得ることができる。
【００１８】
また、シリンダヘッドカバーの板面部分にポンプを取り付けるのではないから、同板面部分を肉厚にしたり、同板面部分の裏面に補強用のリブを設けたりする必要がない。また、ポンプとシリンダヘッドカバーをシリンダヘッド本体に対して共通のボルトで共締めするので、ボルト本数を節約できると共に、余計なブラケットを使用する必要がなくなる。従って、無用な重量増加や高さ方向の寸法増加を招くことなく、単純でコンパクトな構造により、ポンプを簡単に取り付けることができる。また、荷重のかかるボス部を除けば、シリンダヘッドカバーの他の部分の強度は特に高めておく必要がないから、ボス部以外の部分を樹脂等の軽量な材料で作ることもでき、シリンダヘッドカバーの材質や構造の選択自由度を広げることができる。
【００１９】
請求項２の発明によれば、少なくともポンプに第１の支持部と第２の支持部を形成し、そのポンプの第１の支持部をシリンダヘッドカバーの周縁に形成した第１支持部と重ねてボルトで支持し、ポンプの第２の支持部をシリンダヘッドカバーの周縁から離間した位置でシリンダヘッドカバーに形成した第２支持部と重ねてボルトで支持したので、ポンプ及びシリンダヘッドカバーを、強固にシリンダヘッド本体に結合することができる。
【００２０】
請求項３の発明によれば、ポンプの第２の支持部を点火プラグの挿入孔に隣接させたので、第２の支持部を剛性の高い条件で支持しやすくなる。
【００２１】
請求項４の発明によれば、潤滑油によって、ポンプ用カムとポンプのプランジャとの摺接部を十分に潤滑することができるようになるため、エンジン始動時においても、潤滑不良を起こす心配がない。
【００２２】
請求項５の発明によれば、シリンダヘッドカバーの第１支持部とポンプの第１の支持部を、シリンダヘッドカバーとシリンダヘッド本体の密閉を確保するシール部材の外側に形成したので、カム室の気密保持の点で楽になる。
【００２３】
請求項６の発明によれば、前記エンジンをシリンダ軸線が傾斜するように配置し、前記ポンプの第１の支持部をポンプの第２の支持部より上方に支持したので、請求項２〜５の発明の有意性を一層よく発揮できる。
【発明を実施するための最良の形態】
【００２４】
以下、本発明の実施形態を図面を参照しながら詳細に説明する。
図１は実施形態のエンジンを搭載した自動二輪車（車両）の全体構成を示す概略側面図、図２は同じ方向から見た要部側面図、図３はさらにその要部構成を拡大して示す側断面図である。図４は高圧燃料ポンプとの干渉を避ける逃げ部を吸気チャンバの底壁（隔壁）に設けたことによる空気流れの説明図、図５〜図９はシリンダヘッド本体並びにシリンダヘッドカバーの構成を示す図である。
【００２５】
この自動二輪車は、図１に示すように、車体フレーム２０、前輪１、後輪２、エンジン３、ラジエータ４、フロントフォーク５、バーハンドル６、燃料タンク７、エアクリーナ８、燃料供給装置の一要素である高圧燃料ポンプ３０、ピボット軸１０、リヤフレーム１１、スイングアーム１２、動力伝達装置１３、シート１４、排気管１６、マフラー１７、フロントカウル９等を具備して構成されている。
【００２６】
車体フレーム２０は、前端のヘッドパイプ２１から斜め下向き後方へ延びる左右一対のメインフレーム（フレーム部材）２２を有しており、メインフレーム２２の後部には、上側にリヤフレーム１１が連結され、その下側にピボット軸１０を介して上下方向揺動自在にスイングアーム１２が連結されている。そして、スイングアーム１２の後端に後輪２が支持されている。
【００２７】
また、車体フレーム２０の前端のヘッドパイプ２１には、バーハンドル６が回動自在に支持され、バーハンドル６の下側には、バーハンドル６によって操向されるフロントフォーク５が連結され、フロントフォーク５の下端に前輪１が懸架されている。
【００２８】
エンジン３は、車体前後方向の中央部に配置され、車体フレーム２０の左右のメインフレーム２２間の下側に懸架されている。このエンジン３は、直列４気筒エンジンであり、クランクシャフトを車幅方向に水平に沿わせた横置きで搭載され、クランクケース上方のシリンダ３Ａの軸線がやや前傾している。４本の排気管１６は、シリンダ３Ａの車体前方側の排気ポートに接続された後、途中で合流を繰り返しながらエンジン３の下側を通り、最終的にマフラー１７につながっている。
【００２９】
ラジエータ４は、エンジン３の前方のシリンダ３Ａの上部とほぼ同じ高さの位置に、通風面を前方に向けて配置されている。ラジエータ４の背後にはラジエータファン４Ａが備わっている。また、エアクリーナ８は左右のメインフレーム２２間の上方に配置され、その後側に燃料タンク７が配置され、その後側にリヤフレーム１１に載せてライダーの着座するシート１４が配置されている。なお、また、車体の後部左側には動力伝達装置１３が配置され、車体の後部右側にはリヤフレーム１１に沿わせた状態でマフラー１７が配置されている。
【００３０】
図２及び図３に示すように、エンジン３のシリンダヘッド３Ｂは、シリンダブロック（図３には不図示）の上面に下面を合わせてボルト１０１で接合されたアルミダイカスト製のシリンダヘッド本体４０と、シリンダヘッド本体４０の上部を覆うように設けられた同じくアルミダイカスト製のシリンダヘッドカバー５０とから構成されている。
【００３１】
シリンダヘッド本体４０及びシリンダヘッドカバー５０よりなるシリンダヘッド３Ｂの内部には、吸気弁（不図示）、排気弁（不図示）、吸気側カムシャフト７０、排気側カムシャフト８０（図６においては、簡略的に軸線７０Ｌ、８０Ｌで示す）等よりなる動弁機構が装備されている。吸気側及び排気側のカムシャフト７０、８０は、シリンダヘッド本体４０の上合わせ面４１にシリンダヘッドカバー５０の下合わせ面５１の周縁部をシール部材６０を介して合わせることで密閉されたカム室５２内に収容されている。
【００３２】
高圧燃料ポンプ３０は、吸気側カムシャフト７０に設けられたポンプ用カム７１の回転によってプランジャ３８が往復動されることで、低圧ポンプ（不図示）から送られてきた燃料を加圧するプランジャ型のポンプよりなり、シリンダヘッドカバー５０の上面に突設した取付座５３の上に、吸気側カムシャフト７０の中心軸線に自身の軸線を合わせて配設されている。
【００３３】
この場合、高圧燃料ポンプ３０は、図４、図５、図７、図８に示すように、エンジン３の車幅方向略中央に装備され、且つ、図２に示すように、搭載状態における上端の一部が、左右のメインフレーム２２の間に入り込むように、シリンダヘッドカバー５０の上に配設されている。ここでは、軸線が前傾したシリンダヘッド３Ｂに取り付けられ、ポンプ３０の軸線も前傾しているので、ポンプ３０の上端角部分が、左右のメインフレーム２２間の空間内に入り込んでいる。そして、この高圧燃料ポンプ３０は、図３、図５に示すように、自身に設けられた取付フランジ３１とシリンダヘッドカバー５０のボス部５７、５８とを貫通するボルト３３によって、シリンダヘッドカバー５０と共にシリンダヘッド本体４０に共締めされている。
【００３４】
即ち、シリンダヘッドカバー５０のボス部（シリンダヘッドカバーの支持部）５７、５８には、シリンダヘッド４０側のボス部４７、４８のネジ孔４７ａ、４８ａに対応したボルト通し孔５７ａ、５８ａが形成され、高圧燃料ポンプ３０の取付フランジ３１には、シリンダヘッド４０のネジ孔４７ａ、４８ａ及びシリンダヘッドカバー５０のボルト通し孔５７ａ、５８ａに対応したボルト通し孔３２が形成されている。そして、取付フランジ３１の上側からボルト３３を、取付フランジ３１のボルト通し孔３２、シリンダヘッドカバー５０のボルト通し孔５７ａ、５８ａに順番に通して、シリンダヘッド本体４０のネジ孔４７ａ、４８ａにねじ込むことにより、高圧燃料ポンプ３０が、シリンダヘッドカバー５０と共にシリンダヘッド本体４０に共締めされている。
【００３５】
この場合、高圧燃料ポンプ３０の取付フランジ３１には、ボルト通し孔３２Ａ、３２Ｂをそれぞれ有する第１の支持部３１Ａと第２の支持部３１Ｂが設定されており、第１の支持部３１Ａは、シリンダヘッドカバー５０の周縁に形成された第１のボス部（第１支持部）５８に対応し、また、第２の支持部３１Ｂは、シリンダヘッドカバー５０の周縁から離間した内側に形成された第２のボス部（第２支持部）５７に対応している。
【００３６】
特に、シリンダヘッドカバー５０の第２のボス部（第２支持部）５７及び高圧燃料ポンプ３０の第２の支持部３１Ｂは、点火プラグ挿入孔２５０に隣接した位置に形成されている。また、シリンダヘッドカバー５０の第１のボス部（第１支持部）５８及び高圧燃料ポンプ３０の第１の支持部３１Ａは、シール部材６０の外側に配置されており、ポンプ３０を取り付けたエンジン３を車載した状態で、シリンダヘッドカバー５０の第２のボス部（第２支持部）５７及び高圧燃料ポンプ３０の第２の支持部３１Ｂよりも上側に位置している。
【００３７】
そして、高圧燃料ポンプ３０の取付フランジ３１の第１の支持部３１Ａを、シリンダヘッドカバー５０の周縁に形成した第１のボス部（第１支持部）５８に重ね、高圧燃料ポンプ３０の取付フランジ３１の第２の支持部３１Ｂを、シリンダヘッドカバー５０の周縁から離れた内側に形成した第２のボス部（第２支持部）５７に重ね、その状態で、取付フランジ３１の上側からボルト３３を、取付フランジ３１の各ボルト通し孔３２Ａ、３２Ｂ、シリンダヘッドカバー５０のボルト通し孔５７ａ、５８ａに順番に通して、シリンダヘッド本体４０のネジ孔４７ａ、４８ａにねじ込むことにより、高圧燃料ポンプ３０が、シリンダヘッドカバー５０と共にシリンダヘッド本体４０に取り付けられている。
【００３８】
また、この場合の取付ボルト３３の位置は、図７に示すように吸気側カムシャフト７０の中心軸線７０Ｌを挟んで斜めに対向するように設定されている。これは、ボス部４７、４８、５７、５８を形成するための内側肉盛部分とポンプ用カム７１との干渉をできるだけ避ける上で有効なためである。なお、取付ボルト３３の位置や個数は、高圧燃料ポンプ３０をバランス良く取り付けることができるのであれば、任意に変更して構わない。例えば、２本を斜めに対向する位置ではなくて、吸気側カムシャフト７０の中心軸線７０Ｌと直交する線上に配置してもよい。
【００３９】
このようにボルト３３で締結されることにより、その固定力によってシリンダヘッドカバー５０とシリンダヘッド本体４０の合わせ面４１、５１間に介在されているシール部材６０が潰されて両者に密着し、カム室５２の気密を保持する。
【００４０】
なお、図１０に示すように、シール部材６０の潰れ代が適正となるように、シリンダヘッドカバー５０側のボルト締結用のボス部５８の端面５８ｃは、シール部材６０の嵌合溝５１ａを有する合わせ面５１よりも僅かに相手ボス部（シリンダヘッド本体４０のボス部）側に向けて高くなっており、ボス部４７、４８、５７、５８の端面同士が直に圧接するようになっている。
【００４１】
また、シリンダヘッド３Ｂ内には、図３に示すように、ポンプ用カム７１の摺接面の少なくとも一部を常時浸漬させ得るレベルに潤滑オイルを貯留するためのオイルバス（潤滑油を保持する凹部）７９が設けられている。このオイルバス７９は、図６、図９に示すように、前記シリンダヘッド本体４０のボス部４７及びシリンダヘッドカバー５０の第２のボス部５７に連設した平面視コ字状のリブ４９、５９によって形成されており、これらのリブ４９、５９の存在によってボス部４７、５７の剛性アップも図られている。
【００４２】
また、図４（ａ）、（ｂ）に示すように、エンジン３の吸気ポートにつながるエアクリーナ８が上側に配置された左右のメインフレーム２２の間には、メインフレーム２２間の底面を隔壁１２０で塞ぐことにより、エアクリーナ８の入口に連通する吸気チャンバ１２２が形成されており、吸気チャンバ１２２の左右側部を画成するメインフレーム２２には、車体前方に延ばした左右対のエアダクト１１０の内部に取り入れた走行風（空気）Ｆ１を吸気チャンバ１２２内に導入するための吸気入口１１２がそれぞれ開口されている。なお、エアクリーナ８の入口は、吸気チャンバ１２２の上面に開口した吸気出口１２６に接続されている。
【００４３】
また、吸気チャンバ１２２の底面を画成する隔壁１２０は、下面（裏面）が凹部１２４ａとなり上面が吸気チャンバ１２２内に突出する凸部１２４ｂとなった変形部１２４が、左右一対のメインフレーム２２間の中央に位置させて設けられており、高圧燃料ポンプ３０の上方部位に位置するこの変形部１２４の下面側の凹部１２４ａに、高圧燃料ポンプ３０の上端角部が収容されている。このように吸気チャンバ１２２の底面の凹部１２４ａに高圧燃料ポンプ３０の少なくとも一部を収容することによって、高圧燃料ポンプ３０を、極めて狭隘なスペースであるにも拘わらず、エンジン３の車幅方向の中央部に、車体フレーム２０と干渉せずに、配置することができている。
【００４４】
また、その変形部１２４の上面側の凸部１２４ｂは、吸気入口１１２から導入されるエアの当たる場所に位置しており、その凸部１２４ｂには、図４（ｂ）、（ｃ）に示すように、吸気入口１１２から導入されたエアＦ２をエアクリーナ８の入口に誘導する傾斜面１２４ｃが設けられている。この傾斜面１２４ｃは、上方に向かって傾斜しており、吸気入口１１２に対向している。なお、吸気入口１１２は、吸気チャンバ１２２の上面および凸部１２４ｂを除く壁面に形成されていればよい。
【００４５】
上記構成によれば、ヘッドパイプ２１から後方へ延びる左右一対のメインフレーム（フレーム部材）２２と干渉せずに、狭いスペースに高圧燃料ポンプ３０をコンパクトに配設することができる。また、左右のメインフレーム２２の間に少なくとも一部が位置するように高圧燃料ポンプ３０をシリンダヘッド３Ｂに取り付けているので、高圧燃料ポンプ３０への外力の影響や洗車時の高圧水の影響を極力排除することができる上、高圧燃料ポンプ３０からの放射音の軽減を図ることもできる。また、左右のメインフレーム２２間の中央部に高圧燃料ポンプ３０を配置しているので、左右方向の重量バランスも良好に保つことができる。
【００４６】
また、ヘッドパイプ２１から後方へ延びる左右一対のメインフレーム２２間に、上面に吸気出口１２６を有する吸気チャンバ１２２を形成し、その吸気チャンバ１２２の底面に吸気チャンバ１２２内に突出する凸部１２４ｂを設け、吸気チャンバ１２２の上面および凸部１２４ｂを除く壁面（メインフレーム２２上）に、吸気チャンバ１２２内に空気を取り入れる吸気入口１１２を設けたので、吸気入口１１２から吸気チャンバ１２２内に取り込んだ空気を、凸部１２４ｂで案内しながら吸気出口１２６へとスムーズに誘導することができる。従って、凸部１２４ｂによって過給用の走行風の水切り効果と整流効果を奏することができる。また、凸部１２４ｂは高圧燃料ポンプ３０の上方部位に形成されているので、凸部１２４ｂの裏面の凹部１２４ａに高圧燃料ポンプ３０の一部（上端角部）を収容することができ、高圧燃料ポンプ３０を配置する上でのスペース的な有利さを得ることができる。また、凸部１２４ｂが車幅方向の中央にあることによって、吸気チャンバ１２２内に取り込んだ空気を吸気出口１２６へ誘導する際にバランスよく案内できるようになる。
【００４７】
また、本実施形態では、前記吸気入口１１２を、少なくとも車体幅方向の左右にそれぞれ形成しているので、吸気チャンバ１２２内に左右方向からバランスよく空気を取り込むことができ、左右方向から取り込んだ空気を凸部１２４ｂによってスムーズに吸気出口１２６へ誘導することができる。特に、凸部１２４ｂには、上方に向かって傾斜する傾斜面１２４ｃを設けてあるので、吸気出口１２６への空気の誘導をよりスムーズに行うことができる。また、吸気入口１１２を、凸部１２４ｂの傾斜面１２４ｃに向かって形成してあるので、吸気チャンバ１２２内に取り込んだ空気を、凸部１２４ｂに当てて傾斜面１２４ｃの案内で吸気出口１２６に向かわせることができ、良好な整流効果を奏することができる。
【００４８】
また、本実施形態では、高圧燃料ポンプ３０をシリンダヘッドカバー５０と共にシリンダヘッド本体４０にボルト３３で共締めしているので、シリンダヘッドカバー５０の板面部分に燃料ポンプを固定するのと違い、シリンダヘッドカバー５０のボス部５７、５８を介するものの、高圧燃料ポンプ３０を、剛性の高いシリンダヘッド本体４０にほぼ直接固定することができる。従って、高圧燃料ポンプ３０の振動によるシリンダヘッドカバー５０の共振を極力抑えることができ、騒音低減効果を得ることができる。
【００４９】
また、シリンダヘッドカバー５０の板面部分に高圧燃料ポンプ３０を取り付けるのではないから、同板面部分を肉厚にしたり同板面部分の裏面に補強用のリブを設けたりする必要がなく、単純でコンパクトな構造を実現できると共に、無用な重量増加や高さ方向の寸法増加を抑えることができる。また、荷重のかかるボス部５７、５８を除けば、シリンダヘッドカバー５０の他の部分の強度は特に高めておく必要がないから、ボス部５７、５８以外の部分を樹脂等の軽量な材料で作ることもでき、シリンダヘッドカバー５０の材質や構造の選択自由度を広げることができる。例えば、ボス部５７、５８の部分のみ金属で構成し、その他の部分を樹脂によるインサート成形で作ることもできる。
【００５０】
また、本実施形態では、オイルバス７９に溜まった潤滑オイルによって、ポンプ用カム７１と高圧燃料ポンプ３０のプランジャ３８との摺接部を十分に潤滑することができるので、エンジン始動時においても、潤滑不良を起こす心配がない。
【００５１】
また、本実施形態では、高圧燃料ポンプ３０の取付フランジ３１に第１の支持部３１Ａと第２の支持部３１Ｂを設け、そのポンプ３０の第１の支持部３１Ａを、シリンダヘッドカバー５０の周縁に形成した第１のボス部（第１支持部）５８と重ねてボルト３３で締結し、ポンプ３０の第２の支持部３１Ｂを、シリンダヘッドカバー５０の周縁から離間した位置でシリンダヘッドカバー５０に形成した第２のボス部（第２支持部）５７と重ねてボルト３３で締結しているので、ポンプ３０及びシリンダヘッドカバー５０を、更に強固にシリンダヘッド本体４０に結合することができる。
【００５２】
また、高圧燃料ポンプ３０の第２の支持部３１Ｂを、点火プラグの挿入孔２５０に隣接させて設けたので、第２の支持部３１Ｂを剛性の高い条件で支持しやすくなる。更に、シリンダヘッドカバー５０の第１のボス部（第１支持部）５８とポンプ３０の第１の支持部３１Ａを、シリンダヘッドカバー５０とシリンダヘッド本体４０の気密を確保するシール部材６０の外側に形成しているので、カム室５２の気密保持の点で楽になる。
【００５３】
なお、上記実施形態では、車体フレーム２０とは別のエアダクト１１０を、車体前方に延ばした例について説明したが、図１１に示すように、車体フレーム２０Ｂの内部空間を、ヘッドパイプ２１の両側を通るダクト通路１３０として利用する場合にも、本発明は適用することができる。その場合は、吸気チャンバ１２２の左右前部または左右側部に吸気入口（不図示）が開口しており、そこから吸気チャンバ１２２内の凸部１２４ｂに向けて走行風が入り込むようになっていればよい。
【００５４】
また、上記実施形態では、高圧燃料ポンプ３０を取り付ける場合について説明したが、他のポンプを取り付ける場合にも、本発明は適用することができる。
【００５５】
また、上記実施形態では、単列の多気筒エンジン３に高圧燃料ポンプ３０を取り付ける場合について説明したが。Ｖ形エンジンに高圧燃料ポンプを取り付ける場合にも、本発明は適用することができる。その場合は、前側の前傾したシリンダ列のシリンダヘッドカバーに高圧燃料ポンプを取り付けることになる。
【図面の簡単な説明】
【００５６】
【図１】本発明の実施形態のエンジンを搭載した自動二輪車の全体構成を示す概略側面図である。
【図２】図１と同じ方向から見た前記自動二輪車の要部側面図である。
【図３】図２の更に要部構成を拡大して示す側断面図である。
【図４】（ａ）は前記自動二輪車のメインフレーム（左右一対のフレーム部材）の上面から下側を見た平面図、（ｂ）は（ａ）のＩＶｂ−ＩＶｂ矢視断面図、（ｃ）は走行風の流れを示す概略説明図である。
【図５】前記自動二輪車に搭載されるエンジンのシリンダヘッド部分の構成を示す斜視図である。
【図６】同シリンダヘッドの分解斜視図である。
【図７】同シリンダヘッドの概略平面図である。
【図８】同シリンダヘッドの側面図である。
【図９】同シリンダヘッドを構成するシリンダヘッドカバーの合わせ面側から見た平面図である。
【図１０】同シリンダヘッドカバーのボルト締結のためのボス部の拡大斜視図である。
【図１１】本発明の他の実施形態における図４（ａ）と同様の図である。
【符号の説明】
【００５７】
３  エンジン
３Ａ  シリンダ
３Ｂ  シリンダヘッド
８  エアクリーナ
２０  車体フレーム
２１  ヘッドパイプ
２２  メインフレーム（左右一対のフレーム部材）
３０  高圧燃料ポンプ
３１  取付フランジ
３１Ａ  第１の支持部
３１Ｂ  第２の支持部
３３  ボルト
３８  プランジャ
４０  シリンダヘッド本体
４７，４８  ボス部
５７  第２のボス部（第２支持部）
５８  第１のボス部（第１支持部）
５０  シリンダヘッドカバー
７０  吸気側カムシャフト
７１  ポンプ用カム
７９  オイルバス（潤滑油を保持する凹部）
１１２  吸気入口
１２０  隔壁
１２２  吸気チャンバ
１２４ａ  凹部
１２４ｂ  凸部
１２４ｃ  誘導壁
１２６  吸気出口
【図１】
2006291807.tif 000003
【図２】
2006291807.tif 000004
【図３】
2006291807.tif 000005
【図４】
2006291807.tif 000006
【図５】
2006291807.tif 000007
【図６】
2006291807.tif 000008
【図７】
2006291807.tif 000009
【図８】
2006291807.tif 000010
【図９】
2006291807.tif 000011
【図１０】
2006291807.tif 000012
【図１１】
2006291807.tif 000013